(57)【要約】      （修正有）【課題】機能が信頼でき、構造が簡素化でき、また、コストを低減できる、書籍とアルバム等に適用できるページターニング自動感応装置を提供する。【解決手段】複数のページと、複数の電導性ゴム部品と、フレキシブルプリントサーキットと、電子コアとを備え、前記ページの一の縁が、互いに連接され、該ページの連接された一の縁に、それぞれ、凹槽が設けられ、前記電導性ゴム部品は、それぞれ、前記凹槽それぞれに挿入され、前記電導性ゴム部品の一端が、凹槽から突出し、該フレキシブルプリントサーキットが、複数のゴールドフィンガー導電領域と連接端とを備え、前記ゴールドフィンガー導電領域が、それぞれ、前記凹槽に挿入されて、前記電導性ゴム部品に接触し、該電子コアと該フレキシブルプリントサーキットの連接端とが電気的に接続される。【選択図】図１
0003136301.tif 000002
【実用新案登録請求の範囲】
【請求項１】
一の縁が互いに連接されるとともに、該一の縁に凹槽が設けられる複数のページと、
前記凹槽それぞれに挿入されるとともに、一端が、前記凹槽から突出する複数の電導性ゴム部品と、
複数のゴールドフィンガー導電領域と連接端を備えるフレキシブルプリントサーキットと、
該フレキシブルプリントサーキットの連接端に電気的に接続される電子コアを備え、
前記ゴールドフィンガー導電領域が、前記凹槽それぞれに挿入されるとともに前記電導性ゴム部品に接触することを特徴とするページターニング自動感応装置。
【請求項２】
前記複数のページのうち一のページの凹槽の一部が、該一のページの上又は下に隣接する他のページの凹槽と重なり合うことを特徴とする請求項１に記載のページターニング自動感応装置。
【請求項３】
前記ページと、該フレキシブルプリントサーキットとが、互いに、粘着されることを特徴とする請求項１に記載のページターニング自動感応装置。
【請求項４】
前記電導性ゴム部品の長さ寸法が、該凹槽の深さ寸法より大きいことを特徴とする請求項１に記載のページターニング自動感応装置。
【請求項５】
前記電子コアは、ハウジングを備え、該ハウジングの内部に、電子回路が設けられ、前記フレキシブルプリントサーキットの連接端が、該電子コアのハウジングの内部に延設するとともに、該電子回路に連接することを特徴とする請求項１に記載のページターニング自動感応装置。
【請求項６】
更に、カバーが設けられ、前記ページが、該カバーの内面と、互いに粘着されることを特徴とする請求項１に記載のページターニング自動感応装置。
【請求項７】
書籍やアルバムに適用されることを特徴とする請求項１に記載のページターニング自動感応装置。
【考案の詳細な説明】
【技術分野】
【０００１】
本考案は、ページターニング自動感応装置に関し、特に、トーキングブックとアルバム等の感応スウィッチの構造改良に関する。
【背景技術】
【０００２】
一般の書籍は、ユーザーが読むことに供され、即ち、ユーザーしか書籍内容を見る又は読むことしかできず、書籍自体は、その内容を音声出力に変換できない。電子産業のデジタル化が急速に発展することにより、電子製品は、小型化し、その機能は強化されている。近年、電子技術が、教育に適用され、トーキングブックが、その一つの応用例であり、読者は、書籍に統合された音声ＩＣとスピーカにより、書籍の内容を音声で紹介される。
【０００３】
例えば、１９９９年９月１日付けの台湾専利公告番号第３６９１９４号には、トーキングブックに応用されたページコード検知装置が開示されている。この装置は、それぞれ、電子音声ブックの各ページの周縁に設けられるとともに、各ページに対応するページコードに基づいて、異なる形状を有する複数のマークを備える。さらにこの装置は、このマークの位置に対応して、該電子音声ブックのページ縁に検知装置が設けられる。この検知装置は、ユーザーのタッチに従って、上記のマークに示されたページコードを検知し、駆動信号を送信して該音声再生装置を駆動し、該ページコードに対応する音声データを再生する。上記複数のマークは、複数のＵ字形状の導電シートであり、各ページのページコードに対応して、異なるピッチを有する。
【０００４】
上記の導電シートは、一般的に、金属弾性シートであり、該導電シートが、検知装置の読取り装置スウィッチと接触するため、導電シートが、容易に、弾性疲労や変形或いは変位になり、それにより、トリガーできないことや誤トリガーの事態が発生し、そのため、該電子音声ブックは、正しい音声を再生できない。また、該電子音声ブックは、複数のマーク（導電シート）と検知装置により感応スウィッチを構成するため、該検知装置は、読取り装置や圧縮スプリング等の部品が必要になり、その構造が比較的に複雑になって、コストも高くなる。
【特許文献１】台湾専利公告番号第３６９１９４号
【考案の開示】
【考案が解決しようとする課題】
【０００５】
本考案者は、上記の諸欠点を改善するため、慎重に研究開発し、また、理論上、設計が合理的で、有効に、上記の諸欠点を改善できる本考案を提案する。
【０００６】
本考案の主な目的は、トリガーできないことや誤トリガーの問題を防止でき、機能がより信頼でき、構造の簡素化により、コストを低減できるページターニング自動感応装置を提供する。
【課題を解決するための手段】
【０００７】
本考案は、上記の目的を達成するために、その一の縁が、互いに連接され、前記ページの連接された一の縁に、凹槽が設けられる複数のページと、それぞれ、前記凹槽に挿入され、一端が、凹槽から突出する複数の電導性ゴム部品と、複数のゴールドフィンガー導電領域と連接端とが備えられ、前記ゴールドフィンガー導電領域が、それぞれ、前記凹槽に挿入され、また、前記電導性ゴム部品に接触するフレキシブルプリントサーキットと、該フレキシブルプリントサーキットの連接端に電気的に接続される電子コアと、を備えるページターニング自動感応装置である。
【考案の効果】
【０００８】
本考案によれば、前記電導性ゴム部品により感応スウィッチを構成し、弾性疲労や変形或いは変位等の問題がないため、トリガーできないことや誤トリガーの問題を防止でき、機能がより信頼でき、また、フレキシブルプリントサーキットが、前記電導性ゴム部品と電子コアに電気的に接続され、構造が簡素化されるため、有効にコストを低減できる効果が得られる。
【考案を実施するための最良の形態】
【０００９】
以下、図面を参照しながら、本考案の特徴や技術内容について、詳しく説明するが、添付図面は、参考や説明のために用いられるに過ぎない。本考案は、それらによって制限されることはない。
【００１０】
図１乃至図６を参照する。本考案は、ページターニング自動感応装置であり、書籍やアルバム等に応用できるページターニング自動感応装置で、複数のページ１と、複数の電導性ゴム部品２と、フレキシブルプリントサーキット（Flexible Printed Circuit Board）３と、カバー４と、電子コア５とが備えられ、前記ページ１は、紙材や他の材料からなり、前記ページ１の一の縁が、互いに連接され、必要に応じて、何れかのページを開くことができる。前記ページ１は、連接された一の縁に、それぞれ、凹槽１１が形成され、各ページ１の凹槽１１は、その一部が、上下において重なり（凹槽１１の幅の３分の１）、前記凹槽１１は、適当な深さを有する。
【００１１】
前記電導性ゴム部品２は、シート状の電導性ゴムからなる。電導性ゴム部品２の幅寸法は、凹槽１１の幅寸法と等しいが、電導性ゴム部品２の長さ寸法は、凹槽１１の深さ寸法より大きい。前記電導性ゴム部品２は、前記凹槽１１それぞれに挿入され（図２と図３のように）、電導性ゴム部品２の長さ寸法が、凹槽１１の深さ寸法より、0.5〜0.8mm程度長くなるため、電導性ゴム部品２が凹槽１１に挿入された後、電導性ゴム部品２の一端が、凹槽１１から0.5〜0.8mm程度突出し、それを、ページターニング時のトリガースウィッチとし、二つのページ１の電導性ゴム部品２が、互いに接触することができ、電導性ゴム部品２の突出した長さにより、ページターニング時のトリガー角度を制御でき、長ければ、トリガー角度が小さくなる。
【００１２】
該フレキシブルプリントサーキット３の両端に、それぞれ、形成された複数の電導性ゴム部品２に対応するゴールドフィンガー導電領域３１と連接端３２が、前記電導性ゴム部品２と電子コア５とに電気的に接続され、前記ゴールドフィンガー導電領域３１は、フレキシブルプリントサーキット３の一端を延ばして湾曲することにより形成されて、前記凹槽１１それぞれに対応する。該フレキシブルプリントサーキット３とページ１との間に、背合わせに、粘着材により互いに粘着され、該フレキシブルプリントサーキット３の複数のゴールドフィンガー導電領域３１は、それぞれ、前記凹槽１１に挿入されて、前記電導性ゴム部品２に接触し（図２と図３のように）、前記ゴールドフィンガー導電領域３１の挿入位置が、電導性ゴム部品２の中間部分であり、これにより、前記ゴールドフィンガー導電領域３１と前記電導性ゴム部品２とが電気的に接続される。
【００１３】
該カバー４は、紙材や他の材料からなる。ページ１とフレキシブルプリントサーキット３との間は、背合わせに、粘着材により互いに粘着される。また、ページ１とカバー４の内面とが、背合わせに、粘着材により互いに粘着される。これにより、カバー４が、前記ページ１の外部を覆うようになる。
【００１４】
該電子コア５は、ハウジング５１が備えられ、該ハウジング５１は、プラスチック材からなり、内部に、電子回路と電池等の電子素子が設けられ、該フレキシブルプリントサーキット３の連接端３２は、該電子コア５のハウジング５１の内部へ延設して、電子コア５の内部に位置する電子回路と電気的に接続され、そのため、前記電導性ゴム部品２により構成された感応スウィッチが、フレキシブルプリントサーキット３に合わせて、該電子コア５を駆動してページ１に対応する音声データを再生するように制御でき、上記の電子コア５の構造は、従来の技術で、本考案に係る実用新案登録請求の範囲に含まれていないため、説明を省略する。該電子コア５は、粘着により、カバー４に連接され、これにより、該電子コア５が、該カバー４に固定され、上記の構造により、本考案のページターニング自動感応装置が構成される。
【００１５】
図４と図５、図６及び図６Ａのように、ページ１の何れかの１ページを開くと、該ページの電導性ゴム部品２が、該ページ１とともに回動し、該ページ１が、約１６０度から１８０度の間に開かれると、該ページの電導性ゴム部品２が、該ページに隣接するページの電導性ゴム部品２に接触し、そのため、フレキシブルプリントサーキット３のトリガー回路と対応するスウィッチにより、スウィッチをトリガーして、電子コア５が、自動的に、対応する音声再生を行う。また、電子コア５は、対応する音声再生を行う他に、対応する発光を行っても良く、これにより、音響光学効果が得られる。
【００１６】
本考案は、各電導性ゴム部品２が、それ自身の幅の３分の１が重なるように、均一に配置されるため、構造上、例えば、１ページ目と３ページ目が、互いに抵接する誤作動をせず、隣接する二つのページの電導性ゴム部品２が、互いに接触することが保証できる。即ち、第１と第２ページ/第２と第３ページ/第３ページと第４ページ/・・・のようなトリガーだけが可能であり、構造において、隣接していない両ページが、接触することがないため、通常、本を開く時の任意状態で、隣接する両ページが接触して、回路をトリガーすることを保証し、隣接していない両ページの誤トリガーの問題がないため、本構造の機能は、信頼でき、そして、コストの低減もでき、そして、手触りも良い。
【００１７】
また、本考案は、前記電導性ゴム部品２により感応スウィッチを構成するため、金属弾性シートが弾性疲労や変形或いは変位になる等の問題がなく、トリガーできないことや誤トリガーの問題を防止でき、また、本構造の機能は、より信頼できる。そして、本考案は、フレキシブルプリントサーキット３により、前記電導性ゴム部品２と電子コア５とを電気的に接続するため、構造が簡素化でき、有効にコストを低減できる。
【００１８】
以上は、ただ、本考案のより良い実施例であり、本考案は、それによって制限されることは無く、本考案に係る実用新案登録請求の範囲や明細書の内容に基づいて行った等価の変更や修正は、全てが、本考案の実用新案登録請求の範囲内に含まれる。
【図面の簡単な説明】
【００１９】
【図１】本考案に係るページターニング自動感応装置の立体分解図である。
【図２】本考案に係るページターニング自動感応装置の構造の一部を示す立体図（１）である。
【図３】本考案に係るページターニング自動感応装置の構造の一部を示す立体図（２）である。
【図４】本考案に係るページターニング自動感応装置の立体組立図である。
【図５】本考案に係るページターニング自動感応装置の上面図である。
【図６】本考案に係るページターニング自動感応装置の正面図である。
【図６Ａ】図６のＡ部分の詳細図である。
【符号の説明】
【００２０】
１  ページ
２  電導性ゴム部品
３  フレキシブルプリントサーキット
４  カバー
５  電子コア
１１  凹槽
３１  ゴールドフィンガー導電領域
３２  連接端
５１  ハウジング
【図１】
0003136301.tif 000003
【図２】
0003136301.tif 000004
【図３】
0003136301.tif 000005
【図４】
0003136301.tif 000006
【図５】
0003136301.tif 000007
【図６】
0003136301.tif 000008
【図６Ａ】
0003136301.tif 000009
【手続補正書】
【提出日】平成19年8月8日(2007.8.8)
【手続補正１】
【補正対象書類名】実用新案登録請求の範囲
【補正対象項目名】全文
【補正方法】変更
【補正の内容】
【実用新案登録請求の範囲】
【請求項１】
一の縁が互いに連接されるとともに、該一の縁に凹槽が設けられる複数のページと、
前記凹槽それぞれに挿入されるとともに、一端が、前記凹槽から突出する複数の電導性ゴム部品と、
複数の導電領域と連接端を備えるフレキシブルプリントサーキットと、
該フレキシブルプリントサーキットの連接端に電気的に接続される電子コアを備え、
前記導電領域は、前記凹槽に対応するように前記フレキシブルプリントサーキットの一端を延ばして湾曲するように形成され、前記凹槽それぞれに挿入されるとともに前記電導性ゴム部品に接触することを特徴とするページターニング自動感応装置。
【請求項２】
前記複数のページのうち一のページの凹槽の一部が、該一のページの上又は下に隣接する他のページの凹槽と重なり合うことを特徴とする請求項１に記載のページターニング自動感応装置。
【請求項３】
前記ページと、該フレキシブルプリントサーキットとが、互いに、粘着されることを特徴とする請求項１に記載のページターニング自動感応装置。
【請求項４】
前記電導性ゴム部品の長さ寸法が、該凹槽の深さ寸法より大きいことを特徴とする請求項１に記載のページターニング自動感応装置。
【請求項５】
前記電子コアは、ハウジングを備え、該ハウジングの内部に、電子回路が設けられ、前記フレキシブルプリントサーキットの連接端が、該電子コアのハウジングの内部に延設するとともに、該電子回路に連接することを特徴とする請求項１に記載のページターニング自動感応装置。
【請求項６】
更に、カバーが設けられ、前記ページが、該カバーの内面と、互いに粘着されることを特徴とする請求項１に記載のページターニング自動感応装置。
【請求項７】
書籍やアルバムに適用されることを特徴とする請求項１に記載のページターニング自動感応装置。
【手続補正２】
【補正対象書類名】明細書
【補正対象項目名】０００７
【補正方法】変更
【補正の内容】
【０００７】
本考案は、上記の目的を達成するために、その一の縁が、互いに連接され、前記ページの連接された一の縁に、凹槽が設けられる複数のページと、それぞれ、前記凹槽に挿入され、一端が、凹槽から突出する複数の電導性ゴム部品と、複数の導電領域と連接端とが備えられ、前記導電領域が、それぞれ、前記凹槽に挿入され、また、前記電導性ゴム部品に接触するフレキシブルプリントサーキットと、該フレキシブルプリントサーキットの連接端に電気的に接続される電子コアと、を備えるページターニング自動感応装置である。
【手続補正３】
【補正対象書類名】明細書
【補正対象項目名】００１２
【補正方法】変更
【補正の内容】
【００１２】
該フレキシブルプリントサーキット３の両端に、それぞれ、形成された複数の電導性ゴム部品２に対応する導電領域３１と連接端３２が、前記電導性ゴム部品２と電子コア５とに電気的に接続され、前記導電領域３１は、フレキシブルプリントサーキット３の一端を延ばして湾曲することにより形成されて、前記凹槽１１それぞれに対応する。該フレキシブルプリントサーキット３とページ１との間に、背合わせに、粘着材により互いに粘着され、該フレキシブルプリントサーキット３の複数の導電領域３１は、それぞれ、前記凹槽１１に挿入されて、前記電導性ゴム部品２に接触し（図２と図３のように）、前記導電領域３１の挿入位置が、電導性ゴム部品２の中間部分であり、これにより、前記導電領域３１と前記電導性ゴム部品２とが電気的に接続される。
【手続補正４】
【補正対象書類名】明細書
【補正対象項目名】００２０
【補正方法】変更
【補正の内容】
【００２０】
１  ページ
２  電導性ゴム部品
３  フレキシブルプリントサーキット
４  カバー
５  電子コア
１１  凹槽
３１  導電領域
３２  連接端
５１  ハウジング